(57)【要約】本発明のプリント配線板は、絶縁性を有する基材層と、上記基材層の一方側の面に積層される第１導電層と、上記基材層の他方側の面に積層される第２導電層と、上記基材層及び第１導電層を厚さ方向に貫通する接続穴の内周面に積層され、上記第１導電層及び第２導電層間を電気的に接続するビアホールとを備え、少なくとも上記基材層の一方側の面における上記接続穴の断面形状が異形形状である。
2019039237.tif 000002
【特許請求の範囲】
【請求項１】
絶縁性を有する基材層と、
上記基材層の一方側の面に積層される第１導電層と、
上記基材層の他方側の面に積層される第２導電層と、
上記基材層及び第１導電層を厚さ方向に貫通する接続穴の内周面に積層され、上記第１導電層及び第２導電層間を電気的に接続するビアホールと
を備え、
少なくとも上記基材層の一方側の面における上記接続穴の断面形状が異形形状であるプリント配線板。
【請求項２】
上記接続穴が、少なくとも上記基材層の一方側の面における上記接続穴の断面形状の縁部を部分的に拡張する拡張部を有する請求項１に記載のプリント配線板。
【請求項３】
上記拡張部の上記厚さ方向に垂直な断面積が上記第２導電層側から上記第１導電層側に向かって増大する請求項２に記載のプリント配線板。
【請求項４】
上記拡張部が上記基材層の他方側の面には存在しない請求項３に記載のプリント配線板。
【請求項５】
上記拡張部の第１導電層の外側面における平均径が上記接続穴の拡張部を除く部分の平均径の０．１倍以上０．５倍以下である請求項２、請求項３又は請求項４に記載のプリント配線板。
【請求項６】
上記接続穴の拡張部を除く部分の平均径が３０μｍ以上１５０μｍ以下である請求項２から請求項５のいずれか１項に記載のプリント配線板。
【発明の詳細な説明】
【技術分野】
【０００１】
本開示は、プリント配線板に関する。本出願は、２０１７年８月２１日出願の日本出願第２０１７-１５８８６４号に基づく優先権を主張し、前記日本出願に記載された全ての記載内容を援用するものである。
【背景技術】
【０００２】
近年、電子機器の小型化が進み、電子機器に用いられるプリント配線板の高密度配線化が求められている。このような求めに応じて、複数のパターニングされた導電層を有する多層プリント配線板が利用されることが少なくない。多層プリント配線板は、基材層を貫通する穴を形成してこの穴の内周面にめっきにより金属層を形成することで異なる導電層のパターン間を接続するビアホールを有することが多い。【０００３】
このような多層プリント配線板の配線密度をより増大するためには、ビアホールの径を小さくすることも必要となる。しかしながら、ビアホールの径を小さくすると、基材層に形成した穴の中に気泡が取り残されてめっき液を導入することができず、導電層間の接続不良が発生することがある。【０００４】
特に、片側の導電層にランドを形成する必要がないことから設置面積を小さくすることができるブラインドビアホールを採用する場合、基材層の穴の中に気泡が取り残されやすく、導電層間の接続不良が発生しやすい。【０００５】
これに対して、ブラインドビアホールの形成に際し、先端部から漸拡大する径を有するドリルによって先細テーパー状の穴を形成することによって、脱泡を促進してめっきを確実にする技術が提案されている（特開平５−８２９６９号公報参照）。
【先行技術文献】
【特許文献】
【０００６】
【特許文献１】特開平５−８２９６９号公報参照
【発明の概要】
【０００７】
本開示の一態様に係るプリント配線板は、絶縁性を有する基材層と、上記基材層の一方側の面に積層される第１導電層と、上記基材層の他方側の面に積層される第２導電層と、上記基材層及び第１導電層を厚さ方向に貫通する接続穴の内周面に積層され、上記第１導電層及び第２導電層間を電気的に接続するビアホールとを備え、少なくとも上記基材層の一方側の面における上記接続穴の断面形状が異形形状である。
【図面の簡単な説明】
【０００８】
【図１】図１は、本開示の一実施形態のプリント配線板を示す模式的断面図である。
【図２】図２は、図１のプリント配線板の接続穴を示す模式的斜視図である。
【図３】図３は、図２とは異なる接続穴を示す模式的斜視図である。
【図４】図４は、図２及び図３とは異なる接続穴を示す模式的斜視図である。
【図５】図５は、図２乃至図４とは異なる接続穴を示す模式的斜視図である。
【図６】図６は、図２乃至図５とは異なる接続穴を示す模式的斜視図である。
【発明を実施するための形態】
【０００９】
［本開示が解決しようとする課題］
上記公報に開示されるように、ドリルを用いる方法では、ビアホールの径を十分に小さくすることができないため、高密度配線化には限界がある。
【００１０】
また、本願発明者らが検証した結果、穴の径が例えば１００μｍ以下と小さい場合には、穴をテーパー状にするだけではめっき液の導入を確実にすることができず、導電層間の接続不良が発生し得ることが確認された。
【００１１】
本開示は、上述のような事情に基づいてなされたものであり、ビアホールによる導電層間の接続が確実なプリント配線板を提供することを課題とする。
［本開示の効果］
【００１２】
本開示の一態様に係るプリント配線板は、ビアホールによる導電層間の接続が確実である。
【００１３】
［本開示の実施形態の説明］
本開示の一態様に係るプリント配線板は、絶縁性を有する基材層と、上記基材層の一方側の面に積層される第１導電層と、上記基材層の他方側の面に積層される第２導電層と、上記基材層及び第１導電層を厚さ方向に貫通する接続穴の内周面に積層され、上記第１導電層及び第２導電層間を電気的に接続するビアホールとを備え、少なくとも上記基材層の一方側の面における上記接続穴の断面形状が異形形状である。
【００１４】
当該プリント配線板は、少なくとも上記基材層の一方側の面における上記接続穴の断面形状が異形形状であることによって、めっきにより上記ビアホールを形成する際、接続穴に流入するめっき液の流速のばらつきが大きくなる。これにより、接続穴の中の空気がドーム状の気泡として取り残されることを防止して、接続穴の中にめっき液を充填することができる。このため、当該プリント配線板は、ビアホールが接続穴の内周面に均等な厚さに形成されるので、ビアホールによる導電層間の接続が確実である。
【００１５】
当該プリント配線板において、上記接続穴が、少なくとも上記基材層の一方側の面における上記接続穴の断面形状の縁部を部分的に拡張する拡張部を有してもよい。このように、上記接続穴が上記拡張部を有することによって、この拡張部によってめっき液の接続穴への流入速度のばらつきが大きくなるので、接続穴の中の空気をより効率よく追い出すことができる。
【００１６】
当該プリント配線板において、上記拡張部の厚さ方向に垂直な断面積が上記第２導電層側から上記第１導電層側に向かって増大してもよい。このように、上記拡張部が上記第２導電層側から上記第１導電層側に向かって断面積が増大することによって、拡張部から流入するめっき液の流路面積が漸減して流速が増大し、接続穴の中の空気をさらに確実に追い出すことができる。
【００１７】
当該プリント配線板において、上記拡張部が上記基材層の他方側の面には存在しなくてもよい。このように、上記拡張部が上記基材層の他方側の面には存在しないことによって、上記基材層の他方側の面における接続穴の最大寸法を小さくすることができるので、第２導電層の配線密度をより大きくすることができる。
【００１８】
当該プリント配線板において、上記拡張部の第１導電層の外側面における平均径が上記接続穴の拡張部を除く部分の平均径の０．１倍以上０．５倍以下が好ましい。このように、上記拡張部の第１導電層の外側面における平均径が上記接続穴の拡張部を除く部分の平均径が上記範囲内であることによって、めっき液によって接続穴の中の空気を確実に追い出せると共に、第１導電層のビアホール接続用ランドが過度に大きくならない。
【００１９】
当該プリント配線板において、上記接続穴の拡張部を除く部分の平均径としては、３０μｍ以上１５０μｍ以下が好ましい。このように、上記接続穴の拡張部を除く部分の平均径が上記範囲内であることによって、当該プリント配線板の従来のプリント配線板に対する有利性、つまりビアホールの欠陥発生率の差が顕著となる。
【００２０】
ここで、「平均径」とは、円相当径を意味するものとする。具体的には、「拡張部の第１導電層の外側面における平均径」は、第１導電層の外側面上において、拡張部の外縁とこの外縁両端を結ぶ弦とで囲まれる領域と同じ面積を有するように前記外縁を円弧とした場合のこの円弧の直径の平均値である。また、接続穴の拡張部を除く部分の平均径は、接続穴の拡張部を除く部分の外縁と各拡張部の外縁両端を結ぶ弦とで囲まれる領域の面積と等しくなる円弧の直径の平均値として求められる。
【００２１】
［本開示の実施形態の詳細］
以下、本開示に係るプリント配線板の各実施形態について図面を参照しつつ詳説する。
【００２２】
［第一実施形態］
図１に、本開示の一実施形態に係るプリント配線板を示す。当該プリント配線板は、可撓性を有するフレキシブルプリント配線板である。
【００２３】
当該プリント配線板は、絶縁性を有する基材層１と、基材層１の一方側の面に積層される第１導電層２と、基材層１の他方側の面に積層される第２導電層３と、基材層１を貫通し、第１導電層２及び第２導電層３間を電気的に接続するビアホール４とを備える。
【００２４】
当該プリント配線板はビアホール４を配設するために、基材層１及び第１導電層２を厚さ方向に貫通するよう形成される接続穴５を有する。ビアホール４は、この接続穴５の内周面、第１導電層２の基材層１と反対側の面の接続穴５の周縁部、及び第２導電層３の接続穴５の内側に露出する部分に連続してめっきにより金属を積層することで形成される。つまり、このビアホール４は、第２導電層３を貫通しないブラインドビアホールである。
【００２５】
図２に、接続穴５の形状を示すために、ビアホール４の形成並びに第１導電層２及び第２導電層３のパターニングを行う前の状態を示す。図示するように、接続穴５は、少なくとも基材層１の一方側の面（第１導電層２が積層される側の面）における断面形状が異形形状である。より詳しくは、接続穴５は、少なくとも基材層１の一方側の面における上記接続穴の断面形状の縁部を部分的に拡張する拡張部６を有する。
【００２６】
拡張部６は、第２導電層３側から第１導電層２側に向かって、厚さ方向に垂直な断面積が増大するよう形成される。また、拡張部６は、基材層１の内部でその断面積がゼロになり、基材層１の他方側の面（第２導電層が積層される側の面）には存在しない。
【００２７】
当該プリント配線板は、接続穴５の少なくとも基材層１の一方側の面における断面形状が異形形状であることによって、めっきによりビアホール４を形成する際、接続穴５に流入するめっき液の流速のばらつきが大きくなる。これにより、接続穴５の中の空気がドーム状の気泡として取り残されることを防止して、接続穴５の中にめっき液を充填することができる。このため、当該プリント配線板は、ビアホール４が接続穴５の内周面に均等な厚さに形成されるので、ビアホール４による第１導電層２と第２導電層３との接続が確実である。
【００２８】
特に、当該プリント配線板は、接続穴５が拡張部６を有することによって、この拡張部６によってめっき液の接続穴５への流入速度のばらつきをより大きくすることができるので、接続穴５の中の空気をより効率よく追い出すことができる。
【００２９】
加えて、拡張部６が第２導電層３側から第１導電層２側に向かって上記断面積が増大するよう形成されることによって、拡張部６から流入するめっき液の流路面積が流れ方向下流側に向かって漸減することにより、拡張部６から流入するめっき液の流速が増大するので、接続穴５の中の空気をさらに確実に追い出すことができる。
【００３０】
また、拡張部６が基材層１の他方側の面には存在しないことによって、基材層１の他方側の面における接続穴５の最大寸法を小さくすることができる。これにより、この接続穴５の他方側の端部を封止する第２導電層３の幅を小さくすることができるので、第２導電層３の配線密度をより大きくすることができる。
【００３１】
以下、当該プリント配線板の各構成要素について詳述する。
【００３２】
＜基材層＞
基材層１の材質としては、例えばポリアミド、ポリイミド、ポリアミドイミド、ポリエステル等を挙げることができる。中でも、例えば耐熱性等の機械的強度の点で、ポリアミド、ポリイミド及びポリアミドイミドが好適に用いられる。
【００３３】
基材層１の平均厚さの下限としては、５μｍが好ましく、１０μｍがより好ましい。一方、基材層１の平均厚さの上限としては、５００μｍが好ましく、１５０μｍがより好ましい。基材層１の平均厚さが上記下限に満たない場合、基材層１の強度が不十分となるおそれがある。逆に、基材層１の平均厚さが上記上限を超える場合、可撓性が不十分となるおそれがある。
【００３４】
＜導電層＞
第１導電層２及び第２導電層３は、基材層１に積層される層状の導体をパターニングして形成される。
【００３５】
第１導電層２及び第２導電層３を構成する導体を基材層１に積層する方法としては、特に限定されず、例えばシート状の導体を接着剤で貼り合わせる接着法、シート状の導体上に基材層１の材料である樹脂組成物を塗布するキャスト法、スパッタリングや蒸着法で基材層１上に形成した厚さ数ｎｍの薄い導電層（シード層）の上にめっきにより金属導体層を形成するスパッタ／めっき法、シート状の導体を熱プレスで基材層１に貼り付けるラミネート法等を用いることができる。
【００３６】
層状の導体をパターニングして第１導電層２及び第２導電層３を形成する方法としては、層状の導体上に、例えばフォトリソグラフィによりレジストパターンを形成し、エッチングにより導体を選択的に除去する公知のサブトラクティブ法を用いることができる。
【００３７】
通常、第１導電層２及び第２導電層３を形成する導体のパターニングは、ビアホール４の形成後に行われる。
【００３８】
第１導電層２及び第２導電層３は、配線密度を向上するために、ビアホール４が接続されるランドと、このランドよりも幅が小さく、線状に延びる配線パターンとを有する構成としてもよい。
【００３９】
第１導電層２及び第２導電層３を形成する材料としては、導電性を有する材料であれば特に限定されないが、例えば銅、アルミニウム、ニッケル等の金属が挙げられ、一般的には比較的安価で導電率が大きい銅が用いられる。第１導電層２を形成する材料と第２導電層３を形成する材料とは異なっていてもよい。また、第１導電層２及び第２導電層３は、表面にめっき処理が施されてもよい。
【００４０】
第１導電層２及び第２導電層３の平均厚さの下限としては、２μｍが好ましく、５μｍがより好ましい。一方、第１導電層２及び第２導電層３の平均厚さの上限としては、５００μｍが好ましく、１００ｎｍがより好ましい。第１導電層２及び第２導電層３の平均厚さが上記下限に満たない場合、導電性が不十分となるおそれがある。一方、第１導電層２及び第２導電層３の平均厚さが上記上限を超える場合、可撓性が不十分となるおそれがある。
【００４１】
第１導電層２及び第２導電層３の配線パターンの平均幅の下限としては、１０μｍが好ましく、１５μｍがより好ましい。一方、第１導電層２及び第２導電層３の配線パターンの平均幅の上限としては、５００μｍが好ましく、３００μｍがより好ましい。第１導電層２及び第２導電層３の配線パターンの平均幅が上記下限に満たない場合、配線パターンが断線するおそれがある。逆に、第１導電層２及び第２導電層３の配線パターンの平均幅が上記上限を超える場合、本開示の実施形態を適用しなくても接続穴５を大きくして第１導電層２と第２導電層３との接続を確実にすることができるので、本開示の実施形態の有利性が損なわれるおそれがある。
【００４２】
＜ビアホール＞
ビアホール４は、接続穴５の内周面、第１導電層２の基材層１と反対側の面、及び第２導電層３の接続穴５の内側に露出する面に積層される下地導体層と、この下地導体層にさらに積層される主導体層とを有する構成とすることができる。
【００４３】
（下地導体層）
上記下地導体層は、導電性を有する薄層であり、主導体層を電気めっきによって形成する際の被着体として利用される。この下地導体層は、無電解めっきにより積層された金属によって形成することができる。下地導体層を形成する金属としては、銅、銀、ニッケル、パラジウム等の金属が挙げられ、中でも柔軟性、厚付け可能性、電気銅めっきとの密着性が良好で、低電気抵抗である銅が好適である。
【００４４】
上記下地導体層を銅の無電解めっきにより形成する場合、下地導体層の平均厚さの下限としては、０．０１μｍが好ましく、０．２μｍがより好ましい。一方、下地導体層の平均厚さの上限としては、１μｍが好ましく、０．５μｍがより好ましい。下地導体層の平均厚さが上記下限に満たない場合、下地導体層の連続性が確保できず、主導体層を均一に形成できなくなるおそれがある。また、下地導体層の平均厚さが上記上限を超える場合、不必要にコストが高くなるおそれがある。
【００４５】
下地導体層を形成する無電解めっきは、触媒の還元作用により触媒活性を有する金属を析出させる処理であり、市販の各種無電解めっき液を塗布することによって行うことができる。このように無電解めっきを用いて下地導体層を形成することで、下地導体層の積層が簡単であり、さらなる主導体層の積層を確実なものとすることができる。
【００４６】
（主導体層）
上記主導体層は、上記下地導体層に電気めっきによって積層された金属で形成される。このように下地導体層を形成してからその内周面に主導体層を設けることにより、導電性に優れるビアホール４を容易かつ確実に形成できる。
【００４７】
主導体層を形成する金属としては、銅、ニッケル等が挙げられ、中でも安価で低電気抵抗である銅が好適に用いられる。
【００４８】
主導体層の平均厚さの下限としては、１μｍが好ましく、５μｍがより好ましい。一方、主導体層の平均厚さの上限としては、５０μｍが好ましく、３０μｍがより好ましい。主導体層の平均厚さが上記下限に満たない場合、当該プリント配線板１の曲げ等によりビアホール４が破断し、第１導電層２と第２導電層３との間の電気的接続が絶たれるおそれがある。また、主導体層の平均厚さが上記上限を超える場合、当該プリント配線板１が過度に厚くなるおそれや、製造コストが不必要に上昇するおそれがある。
【００４９】
主導体層を形成する電気めっき形成工程では、下地導体層を被着体として電気めっきにより金属を積層することで下地導体層の内周面に接する主導体層を形成し、十分な厚さを有するビアホール４を形成することができる。このとき、第１導電層２の外面のビアホール４を積層するランド部以外の部分及び第２導電層３の外面には、めっき液が接触しないようレジストパターンが積層される。
【００５０】
＜接続穴＞
接続穴５は、基材層１及び第１導電層２を厚さ方向に貫通し、接続穴５の拡張部を除く部分を形成する円筒面と、この円筒面の第１導電層側の端部の周方向の一部分を局所的に拡張して拡張部６を形成する例えば円錐面等とによって画定される。
【００５１】
接続穴５の拡張部６を除く部分の形成方法としては、例えばパンチ加工、ドリル加工、レーザー加工等が適用できるが、中でも微細な接続穴５を正確に形成できるレーザー加工が特に好適である。
【００５２】
接続穴５の拡張部６を除く部分、つまり円筒面の平均径の下限としては、３０μｍが好ましく、５０μｍがより好ましい。一方、接続穴５の拡張部６を除く部分の平均径の上限としては、１５０μｍが好ましく、１００μｍがより好ましい。接続穴５の拡張部６を除く部分の平均径が上記下限に満たない場合、ビアホール４（特に主導体層）を形成する際にめっき液によって接続穴５の中の空気を追い出すことができず、接続穴５の内面にめっきできなくなり、第１導電層２と第２導電層３とを確実に接続することができないおそれがある。逆に、接続穴５の拡張部６を除く部分の平均径が上記上限を超える場合、拡張部６を形成しなくても接続穴５の中にめっき液を導入することができるので、本開示の実施形態を適用することに有利性が得られないおそれがある。
【００５３】
（拡張部）
拡張部６は、少なくとも基材層１の第１導電層側の面における接続穴５の断面を異形形状とするよう、第１導電層の厚さよりも大きい深さに形成される。
【００５４】
厚さ方向に垂直な断面積が変化する拡張部６は、例えば円錐形状の切削工具を用いたミリング加工、多軸の加工機を用いた３次元加工等によって形成してもよいが、レーザー光を第１導電層２に垂直に短時間照射することによって比較的容易に形成することができる。
【００５５】
拡張部６の厚さ方向の最も長いところの長さ（以下、最大長さ）の下限としては、第１導電層２の厚さの１．２倍が好ましく、１．５倍がより好ましい。一方、拡張部６の厚さ方向の最大長さの上限としては、基材層１及び第１導電層２の合計厚さの０．９倍が好ましく、０．７倍がより好ましい。拡張部６の厚さ方向の最大長さが上記下限に満たない場合、めっき液で接続穴５の中の空気を確実に追い出すことができないおそれがある。逆に、拡張部６の厚さ方向の最大長さが上記上限を超える場合、製造誤差によって拡張部６が基材層１の第２導電層３側の面に達し得ることを考慮して第２導電層３のランドを大きくする必要が生じたり、拡張部６の第１導電層２の外面における径が大きくなることで第１導電層２のランドを大きくする必要が生じたりすることから、第１導電層２又は第２導電層３の配線パターンの高密度化を阻害するおそれがある。
【００５６】
第１導電層２の外側面（基材層１と反対側の面）における拡張部６の平均径の下限としては、接続穴５の拡張部６を除く部分の平均径の０．１倍が好ましく、０．２倍がより好ましい。一方、第１導電層２の外側面における拡張部６の平均径の上限としては、接続穴５の拡張部６を除く部分の平均径の０．５倍が好ましく、０．４倍がより好ましい。第１導電層２の外側面における拡張部６の平均径が上記下限に満たない場合、拡張部６の断面積が小さくなり、めっき液で接続穴５の中の空気を確実に追い出すことができないおそれがある。逆に、第１導電層２の外側面における拡張部６の平均径が上記上限を超える場合、第２導電層２のランドを大きくする必要があるため、第１導電層２の配線パターンの高密度化を阻害するおそれがある。
【００５７】
第１導電層の外側面における拡張部６の外縁両端間の平均距離の下限としては、接続穴５の拡張部６を除く部分の平均径の０．１倍が好ましく、０．２倍がより好ましい。一方、第１導電層の外側面における拡張部６の外縁両端間の平均距離の上限としては、接続穴５の拡張部６を除く部分の平均径の０．５倍が好ましく、０．４倍がより好ましい。第１導電層の外側面における拡張部６の外縁両端間の平均距離が上記下限に満たない場合、拡張部６の断面積が小さくなり、めっき液で接続穴５の中の空気を確実に追い出すことができないおそれがある。逆に、第１導電層の外側面における拡張部６の外縁両端間の平均距離が上記上限を超える場合、拡張部６の幅が大きくなってめっき液の流速の差が小さくなることで、接続穴５の中の空気を確実に追い出すことができないおそれがある。
【００５８】
拡張部６の数としては、１つでもよいが、めっき液の流れ方向によって接続穴５から空気を追い出す効果に違いが生じ難いよう、複数、例えば４つ以上設けることが好ましい。また、このめっき液の流れ方向の観点から、拡張部６は、周方向に均等な間隔で設けることが好ましい。
【００５９】
＜利点＞
当該プリント配線板は、少なくとも基材層１の一方側の面における接続穴５の断面形状が異形形状であることによって、めっきによりビアホール４を形成する際、接続穴５に流入するめっき液の流速のばらつきが大きくなる。これにより、接続穴５の中の空気がドーム状の気泡として取り残されることを防止して、接続穴５の中にめっき液を充填することができる。このため、当該プリント配線板は、ビアホール４が接続穴５の内周面に均等な厚さに形成されるので、ビアホール４による第１導電層２と第２導電層３との間の接続が確実である。
【００６０】
［その他の実施形態］
今回開示された実施の形態は全ての点で例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。
【００６１】
当該プリント配線板において、第１導電層及び第２導電層は相対的なものであって、１つのビアホールにおける第１導電層となる導電層が、他のビアホールにおける第２導電層とされてもよい。
【００６２】
当該プリント配線板は、さらなる基材層及び導電層が積層された多層配線板であってもよい。また、当該プリント配線板は、例えばカバーレイ、ソルダレジスト、シールドフィルム等の他の層を備えていてもよい。
【００６３】
当該プリント配線板におけるビアホールは、全ての導電層を貫通するスルーホールであってもよく、多層配線板の内部の導電層間を接続するインタースティシャルビアホールであってもよい。
【００６４】
当該プリント配線板における基材層の一方側の面での接続穴の断面形状は、異形形状であればよく、拡張部を有していなくてもよい。例として、当該プリント配線板における接続穴は、図３に示すように多角形状の断面形状を有してもよい。
【００６５】
当該プリント配線板における接続穴の拡張部は、例えば図４に示すように基材層及び第１導電層の厚さ全体に亘って延びる等断面の溝状に形成されてもよい。
【００６６】
当該プリント配線板における接続穴の拡張部の断面形状は円形に限定されない。例として、当該プリント配線板における拡張部は、図５に示すように三角形状の断面を有するものであってもよい。また、当該プリント配線板における接続穴の拡張部は、図６に示すように接続穴の拡張部以外の部分との間が滑らかに接続されていてもよい。
【実施例】
【００６７】
以下、実施例に基づき本発明を詳述するが、この実施例の記載に基づいて本発明が限定的に解釈されるものではない。【００６８】
本開示の効果を確認するために、円形断面の接続穴によりビアホールを形成したフレキシブルプリント配線板の試作例１と、さらに円錐形状の拡張部を設けた接続穴によりビアホールを形成したフレキシブルプリント配線板の試作例２とを多数作成し、ビアホールの導通を検査した。【００６９】
試作例１は、ポリイミドフィルムから形成される厚さ３２μｍの基材層に、第１導電層及び第２導電層として厚さ１２μｍの銅箔を積層したものを用い、穴径８５μｍの接続穴を形成し、銅の無電解めっき及び電気めっきにより合計めっき厚さ８μｍのビアホールを形成した。【００７０】
試作例２は、穴径８５μｍの円筒状の穴の外周面を円錐面状に拡張する拡張部を、９０°毎に４箇所形成した。拡張部は、第１導電層の外面における幅及び径が３０μｍ（円筒部の径の０．３５倍）、第１導電層の外面から基材層の厚さ方向の長さが１０μｍとなるよう形成した。【００７１】
試作例１については、１，３６０，０００個のサンプルの導通を確認し、試作例２については、１，１８０，０００個のサンプルの導通を確認した。この結果、試作例１では、１４個の導通不良が発見されたが、試作例２では、導通不良が発見されなかった。【００７２】
以上のように、接続穴に拡張部を設けてビアホールを形成することによって、第１導電層と第２導電層との間の接続不良を防止することができることが確認できた。
【符号の説明】
【００７３】
１  基材層
２  第１導電層
３  第２導電層
４  ビアホール
５  接続穴
６  拡張部
【図１】
2019039237.tif 000003
【図２】
2019039237.tif 000004
【図３】
2019039237.tif 000005
【図４】
2019039237.tif 000006
【図５】
2019039237.tif 000007
【図６】
2019039237.tif 000008
【国際調査報告】
2019039237.tif 000009
2019039237.tif 000010
2019039237.tif 000011
2019039237.tif 000012